(57)【要約】      （修正有）【課題】ゴルフパッターのグリップを被覆するゴルフパッターのグリップジャケットを提供する。【解決手段】軟質プラスチック部材からなる中空状のジャケット１を有し、ジャケット１の中央部は嵌合穴１１を有し、嵌合穴１１はジャケット１の前端１２から後端１３に延在し、ジャケット１の側壁には前端から後端に延在する開口部を設け、開口部の２辺には開口部を閉合または開放する接着部材を設け、接着部材は例えばマジックファスナー（登録商標）、ファスナー、金属ボタンなどを使用することができる。これにより、直接にグリップジャケットをゴルフパッター２０のグリップ２０１に装着して、グリップ２０１の直径を増大させ、グリップ２０１を把持す手首の安定性を向上できるほか、開口部と接着部材の組合せを利用し、使用者によるグリップジャケットの組立に便利する。【選択図】図１
0003180017.tif 000002
【実用新案登録請求の範囲】
【請求項１】
ゴルフパッターのグリップを被覆するゴルフパッターのグリップジャケットであって、
軟質プラスチック部材からなる中空状のジャケットを有し、
前記ジャケットの中央部は嵌合穴を有し、前記嵌合穴はジャケットの前端より後端に延在し、前記ジャケットの一側壁には前記前端より前記後端に延在する開口部を設け、前記開口部２つの辺には前記開口部を開放または閉合させる接着部材を設けることを特徴とするゴルフパッターのグリップジャケット。
【請求項２】
前記接着部材は前記開口部の一辺に結合する雄マジックファスナー（登録商標）と、前記開口部もう一つの辺に結合する雌マジックファスナー（登録商標）と、を有し、前記雄マジックファスナー（登録商標）を前記雌マジックファスナー（登録商標）と互いに接着することを特徴とする、請求項１記載のゴルフパッターのグリップジャケット。
【請求項３】
前記接着部材は前記開口部２つの辺に結合するファスナーを含むことを特徴とする、請求項１記載のゴルフパッターのグリップジャケット。
【請求項４】
前記接着部材は前記開口部の一辺に結合する雄ボタンと、前記開口部もう一つの辺に結合する雌ボタンと、を有し、前記雄ボタンを前記雌ボタンと互いに接着することを特徴とする、請求項１記載のゴルフパッターのグリップジャケット。
【請求項５】
前記ジャケットは発泡スチロールからなり、その外面は表皮と結合することを特徴とする、請求項１記載のゴルフパッターのグリップジャケット。
【請求項６】
前記表皮はプラスチックシート、皮革または人造皮革のいずれか一つより選択することを特徴とする、請求項５記載のゴルフパッターのグリップジャケット。
【請求項７】
前記ジャケットの後端にはゴルフパッターの末端部を覆い被せるエンドキャップを設けることを特徴とする、請求項１記載のゴルフパッターのグリップジャケット。
【請求項８】
前記嵌合穴の内壁には一つ以上の滑り止め部を設けることを特徴とする、請求項１記載のゴルフパッターのグリップジャケット。
【請求項９】
前記滑り止め部は前記嵌合穴の内壁の突起粒子または突起縞に形成することを特徴とする、請求項８記載のゴルフパッターのグリップジャケット。
【請求項１０】
前記滑り止め部は前記嵌合穴の内壁に備える滑り止め皮革に貼り合わせることを特徴とする、請求項８記載のゴルフパッターのグリップジャケット。
【考案の詳細な説明】
【技術分野】
【０００１】
本考案はゴルフパッターのジャケットに関し、特にゴルフパッター従来のグリップに装着して、パッターグリップ部の直径を増大させ、手首の安定性を向上できるパッターのグリップジャケットに関する。
【背景技術】
【０００２】
ゴルフは高い技量及び高い精確性を要求する一つの競技である。プレイヤー自身が高い技量を備えるほか、自らのクラブを充分に理解及び応用しなければ、優秀な成績を獲得することはできない。通常、各試合で使用されるクラブは、ウッドと、アイアンと、パッターがある。そのうち、パッターは試合成績の約４０％を占めており、パッター使用の技量は、プレイヤーの体、手部の高度な安定性及び精確度が要求されている。しかし、プレイヤーはパッター使用のとき、つねに安定性を欠き、手首が回転したため、打ち出す瞬間に照準度を失ってしまい、良い成績をとることができない。このため、クラブのメーカーらは、ゴルフスポーツの規則に基づき、かつプレイヤーの打ち出し安定性が容易に維持できるパッターとその周辺製品の開発に努めている。
【０００３】
現時点の研究によれば、多くの人はパッター末端部のプラスチックグリップの直径の太さは手首の安定性に対して絶対的な影響を有し、そして、直径の細いグリップは打ち出すとき、手首が回転しやすく、逆に直径が太いグリップは打ち出すとき、手首の安定性を向上できることを信じていて、かつアマチュアプレイヤーにおいては、特に顕著的である。よって、多くのゴルフクラブメーカーが大きいサイズのグリップを開発し、プレイヤーに従来の細いグリップに取り換えて、パッティングとき手首の振れを軽減し、パッターの精確度を向上できる。
【先行技術文献】
【特許文献】
【０００４】
【特許文献１】なし
【考案の概要】
【考案が解決しようとする課題】
【０００５】
公知のジャイアントグリップは直径のみを大きくして、軽い部材で仕上げる以外はパッターに組み付ける構造を改変していない。さらに、交換するときは従来のグリップを抜き出した後、ジャイアントグリップをパッター末端部より嵌入してから、ねじを使用してジャイアントグリップの末端部よりパッターに締めつける。交換方式は困難である。よって、従来のゴルフパッターの細いグリップを抜き出す必要はなく、パッターの直径を太くすることができ、かつ使用者自らが容易に組み付けと取り外すことできるゴルフパッターのグリップジャケットを提供することは、本考案が開示する技術である。
【０００６】
本考案の目的は、ゴルフパッターのグリップジャケットを提供する。グリップジャケット一側の開口部と接着部材の構造設計を介して、グリップジャケットが随意に開放及び閉合でき、直接にゴルフパッターのグリップに適用すれば、パッティングとき手首の安定性を向上でき、ジャイアントグリップの取付け問題を克服し、組立及び取り外し簡単、かつ便利の効果を達成できる。
【課題を解決するための手段】
【０００７】
前述目的を達成するため、本考案のゴルフパッターのグリップジャケットの好ましい実施例は、軟質プラスチック部材からなる中空状のジャケットを備える。ジャケットの中央部は嵌合穴を有し、嵌合穴はジャケットの前端から後端に延在し、ジャケットの一側壁は前端から後端に延在する開口部を設け、開口部２つの辺は開口部を開放または閉合させる接着部材を設ける。
【０００８】
前述好ましい実施例によるゴルフパッターのグリップジャケットにおいて、接着部材は開口部の一辺に結合する雄マジックファスナー（登録商標）と、開口部もう一つの辺に結合する雌マジックファスナー（登録商標）と、を有し、雄マジックファスナー（登録商標）を雌マジックファスナー（登録商標）と互いうに接着または分離することによって、開口部を閉合または開放できる。接着部材は例えば、開口部２つの辺に備えるファスナーに結合して、ファスナーによって、開口部を閉合または開放することができる。接着部材は例えば、開口部一辺に結合雄ボタンと、開口部もう一つの辺に結合雌ボタンを設け、雄ボタンと、雌ボタンとを相互に係合または分離することによって、開口部を閉合または開放させる。
【０００９】
前述好ましい実施例によるゴルフパッターのグリップジャケットにおいて、ジャケットは発泡スチロールからなり、その外面は表皮に結合し、係る表皮はプラスチックシート、皮革または人造皮革のいずれかである。
前述好ましい実施例によるゴルフパッターのグリップジャケットにおいて、ジャケットの後端はゴルフパッターの末端部を覆い被せるエンドキャップを設けられている。
【００１０】
前述好ましい実施例によるゴルフパッターのグリップジャケットにおいて、嵌合穴の内壁は一つまたは以上の滑り止め部を設け、滑り止め部は嵌合穴内壁に形成する突起粒子または突起縞、あるいは嵌合穴の内壁に貼り合わせる滑り止め皮革であっても良い。
【考案の効果】
【００１１】
本考案のゴルフパッターのグリップジャケットはパッター元来のグリップを取り外す必要はなく、直接その開口部構造を利用しグリップジャケットをパッター元来のグリップに嵌合させ、グリップジャケットをパッターのグリップに覆い被せて置き、接着部材を利用し開口部を閉合させ、グリップジャケットをしっかりグリップに覆い被せて置き、パッティングするとき手首の安定性を向上すると共に、組立及び取り外しが簡単ならび便利の効果を有する。
【図面の簡単な説明】
【００１２】
【図１】本考案好ましい実施例１の組み合わせ概略図である。
【図２】本考案の好ましい実施例１による分解立体概略図である。
【図３】本考案好ましい実施例１の組み合わせ動作概略図である。
【図４】本考案好ましい実施例１の組み合わせ立体概略図である。
【図５】本考案好ましい実施例２の組み合わせ動作立体概略図である。
【図６】本考案好ましい実施例２の組み合わせ動作側面概略図である。
【図７】本考案好ましい実施例３の組み合わせ動作立体概略図である。
【図８】本考案好ましい実施例によるエンドキャップの断面態様概略図である。
【図９】本考案好ましい実施例によるエンドキャップの立体概略図である。
【図１０】本考案の好ましい実施例による滑り止め皮革の立体概略図である。
【図１１】本考案もう一つの実施例によるジャケットの断面概略図である。
【図１２】本考案また一つの実施例によるジャケットの断面概略図である。
【図１３】本考案の好ましい実施例の使用態様参考図である。
【考案を実施するための形態】
【００１３】
図１と図２に示すように、本考案のゴルフパッターのグリップジャケットは、ゴルフパッター２０のグリップ２０１に適用することにより直径を増大させ、プレイヤーは安定に把持してパッティングできる。グリップジャケット１０の好ましい実施例は、ジャケット１を適切な重量に管理し、かつグリップの快適感を与える質発泡スチロールからな中空状のジャケット１を有する。ジャケット１の中央部はグリップ２０１を覆い被せる嵌合穴１１を設け、嵌合穴１１はジャケット１の前端１２から後端１３に延在していて、かつ嵌合穴１１はジャケット１を貫通するまたは貫通しない構造であっても良い。特に、本考案のジャケット１の一側壁は前端１２から後端１３に延在する開口部１４を設けていて、かつ開口部１４に備える２つの辺は開口部１４を閉合または開放させる接着部材１５を設けられている。図３と、図４に示すように、このような開口部と接着部材１５の設計によって、ジャケット１をパッター２０のグリップ２０１へ容易に覆い被せることができる。
【００１４】
図２ないし４に示すように、前述接着部材１５は開口部１４一辺に結合する雄マジックファスナー（登録商標）１５１と、開口部１４もう一つの辺に結合する雌マジックファスナー（登録商標）１５２からない、雄マジックファスナー（登録商標）１５１と雌マジックファスナー（登録商標）１５２を使用者自らが接着または分離に提供し、開口部１４を閉合または開放させ、ジャケット１を容易にパッター２０のグリップ２０１に覆い被せる。図５と６に示すように、接着部材１５は開口部１４両辺に結合するファスナー１５３を適用し、ファスナー１５３によって、閉合及び開放１４させる。図７に示すように、接着部材１５は例えば、開口部１４の一辺に結合雄ボタン１５４と、開口部１４もう一つの辺に結合雌ボタン１５５を設け、雄ボタン１５４と、雌ボタン１５５とを相互に係合または分離することによって、開口部１４を閉合または開放させる。
【００１５】
引き続き図２、図５と図６に示すように、本考案はジャケット１の外面に表皮２を結合し、表皮２はプラスチックシート、皮革、人造皮革またはその他部材からなり、表皮２に覆い被せる設計を介して、グリップの触感及び質感を向上すると共に、表皮２の表面に文字、図案または縞を印刷できる。
【００１６】
図８と９に示すように、本考案ジャケット１の嵌合穴１１を前端１２から後端１３に貫通する目的は、グリップ２０１を覆い被せる安定性の向上を図り、ジャケット１の後端１３はさらにパッター末端部を覆い被せるエンドキャップ１６を設けることにより、ジャケット１が前側への滑り移動を防止できると共に、末端部を把持するときの質感を向上できる。
【００１７】
引き続き図９に示すように、本考案のジャケット１に備える嵌合穴１１の内壁は一つまたは以上の滑り止め部１７を設ける。滑り止め部１７は嵌合穴１１の内壁に形成する突起粒子１７１または縞を形成することができる。または図１０に示すように、滑り止め部１７は例えば、嵌合穴１１の内壁に貼り合わせる滑り止め皮革１７２を設ける。嵌合穴１をパッター２０のグリップ２０１に覆い被せた後、滑り止め部１７を利用し、嵌合穴１１の内壁とグリップ２０１表面との摩擦力を向上でき、安定に覆い被せられると共に、滑り防止の効果を有する。
【００１８】
特に説明することは、ゴルフ試合の規則に基づき、パッターグリップの形状は円形に限らない。本考案のジャケット１の断面形状は実務の必要に基づき、変更して実施することができる。例えば、図２に示す円形ジャケット１、または図１０と図１１に示すように、円形ジャケット１の表面に一つまたは以上の平面１８を形成し、あるいは、図１２に示すように、ジャケット１の断面形状を矩形にすることもできる。ただし、これらはなお本考案の技術精神を逸脱していない。
【００１９】
本考案のゴルフパッターのグリップジャケットの取付け及び使用するときは、図２ないし４に示すように、パッター２０元来のグリップ２０１を取り外すことなく、直接に開口部１４の構造を利用しジャケット１をパッター２０元来のグリップ２０１に装入して置き、グリップジャケット１０（ジャケット１）をグリップ２０１に覆い被せて、接着部材１５を利用し開口部１４を閉合し締め付けて、組立簡単、かつ便利の効果を達成できる。これにより、図１３に示すように、本考案はパッター２０グリップの直径を増大でき、プレイヤーの両手がグリップジャケット１０を把持し、パッティングとき手首の安定性を向上できる。
【符号の説明】
【００２０】
２０：ゴルフパッター
２０１：グリップ
１：ジャケット
１１：嵌合穴
１２：前端
１３：後端
１４：開口部
１５：接着部材
１５１：雄マジックファスナー（登録商標）
１５２：雌マジックファスナー（登録商標）
１５３：ファスナー
１５４：雄ボタン
１５５：雌ボタン
１６：エンドキャップ
１７：滑り止め部
１７１：突起粒子
１７２：滑り止め皮革
１８：平面
２：表皮
【図１】
0003180017.tif 000003
【図２】
0003180017.tif 000004
【図３】
0003180017.tif 000005
【図４】
0003180017.tif 000006
【図５】
0003180017.tif 000007
【図６】
0003180017.tif 000008
【図７】
0003180017.tif 000009
【図８】
0003180017.tif 000010
【図９】
0003180017.tif 000011
【図１０】
0003180017.tif 000012
【図１１】
0003180017.tif 000013
【図１２】
0003180017.tif 000014
【図１３】
0003180017.tif 000015